(57)【要約】      （修正有）【課題】ワイシャツや背広、白衣、作業服等の胸ポケットに収納するボールペン、シャープペン等で胸ポケットに付着するシンクや芯の汚れを防ぐ胸ポケットペンケースを提供する。【解決手段】ポケットインクガード付き胸ポケットペンケース１の本体に２のポケットフックに３のインクガードを取り付けた形状になっている。あらかじめ胸ポケットペンケースをポケットに装着しておき、胸ポケットペンケースにボールペンやシャープペンを８のポケットペンケース上部開口部より挿入して収納し使用します。胸ポケットペンケースに挿入する際、ペンのペン先が３のインクガードによって胸ポケットの内側やポケット周辺などにインクが付かないように胸ポケットペンケースに挿入保管できる。胸ポケットペンケースに挿入したペンの胸ポケットケース内部での落下によってペン先が破損することを防止する為にペン先ガードを設置する。ペン先ガードはペンが胸ポケットペンケース内で遊びがある程度に動かないように固定する役割も持っています。６の胸ポケットペンケース底部は胸ポケットペンケースをポケットに挿入し易くしてポケット繊維の破損を防止する為に凸曲面になっていて実用的である。【選択図】図１
0003123616.tif 000002
【実用新案登録請求の範囲】
【請求項１】
本考案は筒状の胸ポケットペンケースの上部から主にボールペンやシャープペン等のペンを差し込む方法でペンが一本、収納可能である。胸ポケットペンケース上部のペンを挿入する部分にインクガードが設けられ、インクが衣類のポケット周辺に付着する事を防ぐと共に胸ポケットペンケースに差し込み易くする特徴か有ります。胸ポケットペンケースを衣類の胸ポケット内に固定する為に棒状のフックを本体に取り付けたものである。
【請求項２】
本考案の胸ポケットペンケースのインクガードについて、蓋を取り付けた事によって収納したペンがペンケースより外に飛び出す事を防止できる工夫がされている。そしてその蓋の形状と用途について。
【請求項３】
本考案の胸ポケットペンケース本体、内側下方向部分にペン先ガードを設ける。ペン先ガードはペンを収納する際にペン先が本体底部分に落下衝突する事で破損する事を防止できるものである。ペン先ガードの用途とその形状。
【請求項４】
本考案の胸ポケットペンケース本体底部分の形状を半円状の凸曲面を設けることで胸ポケットへの装着に引っかかりが無く胸ポケットの繊維の破損も防げる事とその形状。
【請求項５】
本考案の胸ポケットペンケース本体及びインクガード、ポケットフック、ペン先ガードの素材について、製品１個当りの販売価格が１００円ショップで販売可能であり本製品の形状に加工可能である金属、もしくは加工可能なプラスチック素材を使用する。また製品の販売価格の上限を１，０００円に設定し１，０００円で販売可能で本製品の形状に加工可能な金属、もしくは、本製品に加工可能なプラスチック素材を使用する。その他に本製品本体に色、模様、絵、漫画のキャラクター等をペイントやプリントしたものを貼ったりして製品化する。皮、合成皮革も本製品に貼り付ける方法で製品化する。
【考案の詳細な説明】
【技術分野】
【０００１】本考案はワイシャツや背広、白衣、作業服等の胸ポケットに収納するボールペン、シャープペン等で胸ポケットに付着するシンクや芯の汚れを防ぐ胸ポケットペンケースに関する。
【背景技術】
【０００２】従来のものは筆入れや文具ケースを胸ポケットに収納するものであり、胸ポケットに収納した際にペンケースの厚みによってポケットが膨らんで使いにくかったり、ペンケースをポケットに入れて使用するだけのものであり、ペンを出し入れしづらい事に不満が感じられるものである。
【特許文献】  登録実用新案  第３０１６３１０号  公報
【特許文献】  特許公開        ２００５−１２４７２３
【考案の開示】
【考案が解決しようする課題】
【０００３】様々な職場において胸にポールペンやシャープペンをさして仕事をしている、胸にさしているペールペンやシャープペンによってワイシャツやスーツ、白衣、作業服、エプロンなどの胸ポケットの中やその周辺が汚れてしまう。ボールペンやシャープペンのインクや芯の汚れは洗濯しても落ちにくく、働く人達にとっては煩わしいものである。
【０００４】ボールペンやシャープペンを胸ポケットに収納する頻度の多さによって衣服の胸ポケット生地の破損につながります。
【０００５】様々な職場、学校など、そして老若男女のニーズに合う製品でなければなりません。
【課題を解決するための手段】
【０００６】本考案は筒状のペンを収納するケースを胸ポケットに装着しておきそのペンケースからペンを出し入れして使用するものである。ペンケース本体上部にはインクガードを設ける。インクガードはペン先のインクによって衣服のポケットの内側及びその周辺を汚すのを防ぐ事が可能であると同時にペン先による衣服の生地の破損も防ぐ。
【考案の効果】
【０００７】上述のように本考案の胸ポケットペンケースをポケットに装着する事で、ボールペンやシャープペンのペン先をしまい忘れたままでのポケット装着によるペン先のインクの付着やペン先によるポケットの繊維の破損を防止することができる。その他に胸ポケットペンケースの製品材質を本体形状に加工可能なプラスチックや本体形状に加工可能な金属や合成皮革、本皮を使用し、合成皮革や本皮使用の製品については本皮や合成皮革の素材を生かし、本体形状に加工可能なプラスチックや金属を製品にした場合は本体表面にカラー、模様、絵、漫画キャラクターをペイントまたはプリントしたものを貼ることによって胸ポケット  ペンケースをファッション性のある商品として販売できます。そして、仕事や学校でペンを使用する事の多い、老若男女の多くの人々に受け入れてもらえることが可能です。そして胸ポケット  ペンケース本体に使用する素材によって、本考案の製品の販売価格が１００円のものから１，０００円までに販売価格を何種類か設定することで多種の客層にまで受け入れられます。また、胸ポケットペンケースとボールペンやシャープペンとのセット販売も可能である。
【考案の実施するための最良の形態】
【０００８】以下、本考案の実施形態を図１〜図７に基づいて説明する。
【０００９】図１、図２、図３はポケットインクガード付胸ポケットペンケース蓋無し、図４、図５、図６、図７はポケットインクガード付胸ポケットペンケース蓋付きである。ポケットインクガード付き胸ポケットペンケース蓋無しについては、１の本体、２のポケットフック、３のインクガード蓋無しと４のペン先ガードでできています。ポケットペンケース蓋付については１の本体、２のポケットフック、５のインクガード蓋付き、４のペン先ガードでできています。蓋付き、蓋無しの違いについてはインクガード３の部品を使用するか５の部品を使用するかの違いである。各部品の材質については本体形状に加工可能なプラスチック及び金属を用いる。
【００１０】４のペン先ガードは胸ポケットペンケース本体内側底部分に接着等により固定する。３または５のインクガードは１の本体に接着により固定されます。２のポケットフックは３のインクガードに固定されます。または２のポケットフックは５のインクガード蓋付きに固定されます。
【００１１】図３において４のペン先ガードはペンを挿入口からペンケース内に垂直に落とす様に収納した際ペン先が本体底部に落下衝突して破損してしまう。ペン先ガードよりペン先を保護するだけでなく、ペンをペンケース内に遊びがある程度に固定させる目的を持っている。
【図面の簡単な説明】
【００１２】
【図１】本考案の実施形態を示すポケットインクガード付胸ポケットペンケースの正面図。
【図２】本考案の実施形態を示すポケットインクガード付胸ポケットペンケースの側面図。本体１よりインクガード部分３及びポケットフック２を取り外した図面。
【図３】本考案のポケットインクガード付胸ポケットペンケースを胸ポケットに装着しペンを収納した図面の一部切欠断面図。
【図４】本考案のポケットインクガード付胸ポケットペンケース蓋付の正面図一部切欠断面図。
【図５】本考案のポケットインクガード付胸ポケットペンケース蓋付の蓋を開いた状態の側面図。
【図６】本考案のポケットインクガード付胸ポケットペンケース蓋付の蓋を閉じた状態の側面図。一部切欠断面図でペン先ガードの図。
【図７】本考案のポケットインクガード付胸ポケットペンケースにペンを収納し蓋を閉じた状態の側面図。一部切欠断面図でペン先ガード図。
【符号の説明】
【００１３】  １    ポケットインクガード付胸ポケットペンケース本体
２    ポケットフック
３    インクガード  蓋無し
４    ペン先ガード
５    インクガード  蓋付
５ａ  胸ポケットペンケース蓋
６    胸ポケットペンケース底部
７    蓋開閉つまみ  （蓋固定フック）
８    胸ポケットペンケース上部開口部  （ペン収納挿入口）
【図１】
0003123616.tif 000003
【図２】
0003123616.tif 000004
【図３】
0003123616.tif 000005
【図４】
0003123616.tif 000006
【図５】
0003123616.tif 000007
【図６】
0003123616.tif 000008
【図７】
0003123616.tif 000009
【手続補正書】
【提出日】平成18年1月18日(2006.1.18)
【手続補正１】
【補正対象書類名】図面
【補正対象項目名】全図
【補正方法】変更
【補正の内容】
【図１】
0003123616.tif 000010
【図２】
0003123616.tif 000011
【図３】
0003123616.tif 000012
【図４】
0003123616.tif 000013
【図５】
0003123616.tif 000014
【図６】
0003123616.tif 000015
【手続補正２】
【補正対象書類名】実用新案登録請求の範囲
【補正対象項目名】全文
【補正方法】変更
【補正の内容】
【実用新案登録請求の範囲】
【請求項１】
本考案において
（１）試験管の形状の本体、
（２）本体上部に管の形状をしたペンの挿入口を取り付ける、
（３）管の形状のペン挿入口上部に半円状の曲面板を取り付ける、
（４）ペン挿入口上部に半円状の曲面板上部を中心として開閉する楕円形状の板を蓋として取り付けその先端に開閉つまみを付ける、
（５）管の形状をしたペン挿入口表面の正面中央部分に棒状のフックを取り付ける、
（６）試験管の形状を持つ本体の内側底部分に円柱状の上部中心部分をペン先の形にくり抜いた形状のペン先ガードを取り付ける、
以上の構成からなるポケットインクガード付き胸ポケットペンケース。
【手続補正３】
【補正対象書類名】明細書
【補正対象項目名】０００８
【補正方法】変更
【補正の内容】
【０００８】以下、本考案の実施形態を図１〜図６に基づいて説明する。
【手続補正４】
【補正対象書類名】明細書
【補正対象項目名】０００９
【補正方法】変更
【補正の内容】
【０００９】図１〜図６は、１の本体、２のポケットフック、３のペン挿入口、インクガード及び蓋、４のペン先ガード、以上の構成からなるポケットインクガード付胸ポケットペンケースである、各部品の材質については構成する各部品の形状に加工可能なプラスチック及び金属を用いる。
【手続補正５】
【補正対象書類名】明細書
【補正対象項目名】００１０
【補正方法】変更
【補正の内容】
【００１０】４のペン先ガードはポケットインクガード付胸ポケットペンケース本体内側底部分に接着により固定する、３のペン挿入口及びインクガードは１の本体に接着により固定、挿入口とインクガードの固定は接着により固定、２のポケットフックは３の挿入口とインクガードを接着した物の挿入口の正面中央に固定、インクガードと蓋は接合する。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１１】
【図１】本考案の実施形態を示すポケットインクガード付胸ポケットペンケースの蓋を開いた状態の正面図、一部切欠断面図。
【図２】本考案の実施形態を示すポケットインクガード付胸ポケットペンケースの蓋を開いた状態の側面図、本体１よりペンの挿入口とポケットフック、インクガード、蓋部分が一体になった部品を取り外した図。
【図３】本考案の実施形態を示すポケットインクガード付胸ポケットペンケースの蓋を開いた状態の側面図。
【図４】本考案の実施形態を示すポケットインクガード付胸ポケットペンケースの側面図の一部切欠断面図。
【図５】本考案の実施形態を示すポケットインクガード付胸ポケットペンケースのペンを収納し蓋を閉じた状態の側面図、一部切欠断面図及びペン先ガードの図。
【図６】本考案の実施形態を示すポケットインクガード付胸ポケットペンケースを胸ポケットに装着した図の一部切欠断面図。
【手続補正８】
【補正対象書類名】明細書
【補正対象項目名】００１３
【補正方法】変更
【補正の内容】
【００１２】１    ポケットインクガード付き胸ポケットペンケース本体
２    ポケットフック
３    インクガード
４    ペン先ガード
５    蓋
６    ペン挿入口
７    蓋開閉つまみ（蓋固定フック）
８    胸ポケットペンケース上部開口部（ペン収納挿入口）
【手続補正書】
【提出日】平成18年5月12日(2006.5.12)
【手続補正１】
【補正対象書類名】手続補正書
【補正対象項目名】手続補正３
【補正方法】変更
【補正の内容】
【手続補正３】
【補正対象書類名】明細書
【補正対象項目名】全文
【補正方法】変更
【補正の内容】
【考案の詳細な説明】
【技術分野】
【０００１】本考案はワイシャツや背広、白衣、作業服等の胸ポケットに収納するボールペン、シャープペン等で胸ポケットに付着するシンクや芯の汚れを防ぐ胸ポケットペンケースに関する。
【背景技術】
【０００２】従来のものは筆入れや文具ケースを胸ポケットに収納するものであり、胸ポケットに収納した際にペンケースの厚みによってポケットが膨らんで使いにくかったり、ペンケースをポケットに入れて使用するだけのものであり、ペンを出し入れしづらい事に不満が感じられるものである。
【特許文献】    登録実用新案  第３０１６３１０号  公報
【特許文献】    特許公開  ２００５−１２４７２３
【考案の開示】
【考案が解決しようする課題】
【０００３】様々な職場において胸にポールペンやシャープペンをさして仕事をしている、胸にさしているペールペンやシャープペンによってワイシャツやスーツ、白衣、作業服、エプロンなどの胸ポケットの中やその周辺が汚れてしまう。ボールペンやシャープペンのインクや芯の汚れは洗濯しても落ちにくく、働く人達にとっては煩わしいものである。
【０００４】ボールペンやシャープペンを胸ポケットに収納する頻度の多さによって衣服の胸ポケット生地の破損につながります。
【０００５】様々な職場、学校など、そして老若男女のニーズに合う製品でなければなりません。
【課題を解決するための手段】
【０００６】本考案は筒状のペンを収納するケースを胸ポケットに装着しておきそのペンケースからペンを出し入れして使用するものである。ペンケース本体上部にはインクガードを設ける。インクガードはペン先のインクによって衣服のポケットの内側及びその周辺を汚すのを防ぐ事が可能であると同時にペン先による衣服の生地の破損も防ぐ。
【考案の効果】
【０００７】上述のように本考案の胸ポケットペンケースをポケットに装着する事で、ボールペンやシャープペンのペン先をしまい忘れたままでのポケット装着によるペン先のインクの付着やペン先によるポケットの繊維の破損を防止することができる。その他に胸ポケットペンケースの製品材質を本体形状に加工可能なプラスチックや本体形状に加工可能な金属や合成皮革、本皮を使用し、合成皮革や本皮使用の製品については本皮や合成皮革の素材を生かし、本体形状に加工可能なプラスチックや金属を製品にした場合は本体表面にカラー、模様、絵、漫画キャラクターをペイントまたはプリントしたものを貼ることによって胸ポケット  ペンケースをファッション性のある商品として販売できます。そして、仕事や学校でペンを使用する事の多い、老若男女の多くの人々に受け入れてもらえることが可能です。そして胸ポケット  ペンケース本体に使用する素材によって、本考案の製品の販売価格が１００円のものから１，０００円までに販売価格を何種類か設定することで多種の客層にまで受け入れられます。また、胸ポケットペンケースとボールペンやシャープペンとのセット販売も可能である。
【考案の実施するための最良の形態】
【０００８】以下、本考案の実施形態を図１〜図６に基づいて説明する。
【０００９】図１〜図６は、１の本体、２のポケットフック、３のペン挿入口、インクガード及び蓋、４のペン先ガード、以上の構成からなるポケットインクガード付胸ポケットペンケースである、各部品の材質については構成する各部品形状に加工可能なプラスチック及び金属を用いる。
【００１０】４のペン先ガードはポケットインクガード付胸ポケットペンケース本体内側底部分に接着により固定する、３のペン挿入口及びインクガードは１の本体に接着により固定、挿入口とインクガードの固定は接着により固定、２のポケットフックは３の挿入口とインクガードを接着した物の挿入口の正面中央に固定、インクガードと蓋は接合する。
【図面の簡単な説明】
【００１１】
【図１】本考案の実施形態を示すポケットインクガード付胸ポケットペンケースの蓋を開いた状態の正面図、一部切欠断面図。
【図２】本考案の実施形態を示すポケットインクガード付胸ポケットペンケースの蓋を開いた状態の側面図。本体１よりペンの挿入口とポケットフック、インクガード、蓋部分が一体になった部品を取り外した図。
【図３】本考案の実施形態を示すポケットインクガード付胸ポケットペンケースの蓋を開いた状態の側面図。
【図４】本考案の実施形態を示すポケットインクガード付胸ポケットペンケースの側面図の一部切欠断面図。
【図５】本考案の実施形態を示すポケットインクガード付胸ポケットペンケースのペンを収納し蓋を閉じた状態の側面図、一部切欠断面図及びペン先ガードの図。
【図６】本考案の実施形態を示すポケットインクガード付胸ポケットペンケースを胸ポケットに装着した図の一部切欠断面図。
【符号の説明】
【００１２】      １    ポケットインクガード付胸ポケットペンケース本体
２    ポケットフック
３    インクガード
４    ペン先ガード
５    蓋
６    ペン挿入口
７    蓋開閉つまみ（蓋固定フック）
８    胸ポケットペンケース上部開口部（ペン収納挿入口）
【手続補正２】
【補正対象書類名】手続補正書
【補正対象項目名】手続補正４
【補正方法】削除
【補正の内容】
【手続補正３】
【補正対象書類名】手続補正書
【補正対象項目名】手続補正５
【補正方法】削除
【補正の内容】
【手続補正４】
【補正対象書類名】手続補正書
【補正対象項目名】手続補正６
【補正方法】削除
【補正の内容】
【手続補正５】
【補正対象書類名】手続補正書
【補正対象項目名】手続補正７
【補正方法】削除
【補正の内容】
【手続補正６】
【補正対象書類名】手続補正書
【補正対象項目名】手続補正８
【補正方法】削除
【補正の内容】
【手続補正７】
【補正対象書類名】手続補正書
【補正対象項目名】手続補正９
【補正方法】削除
【補正の内容】